(57)【要約】【課題】圧縮ガスの漏れや、髪への液相の分配が低下することのないエアゾール装置と、これを用いた美容方法の提供。【解決手段】（ａ）第１の区画に、アルコール性又は水性アルコール性の化粧品として許容される媒体中に、組成物の全重量に対して０．４重量％を超える濃度で少なくとも一の毛髪光沢剤及び／又はコンディショナーを含む、毛髪トリートメント組成物、及び、（ｂ）第２の区画に、空気、窒素、及び二酸化炭素、並びにこれらに混合物から選択される圧縮ガスを備えた二区画エアゾール装置、及びこの装置に含まれる前記毛髪トリートメント組成物を、湿った毛髪又は乾いた毛髪に吹き付け、外部の熱を供給するか、又は供給せずに、毛髪を乾燥させることを特徴とする、毛髪をトリートメントするための美容方法。【選択図】　なし【特許請求の範囲】
【請求項１】
（ａ）第１の区画に、アルコール性又は水性アルコール性の化粧品として許容される媒体中に、組成物の全重量に対して０．４重量％を超える濃度で少なくとも一の毛髪光沢剤及び／又はコンディショナーを含む、毛髪トリートメント組成物、及び
（ｂ）第２の区画に、空気、窒素、及び二酸化炭素、並びにこれらに混合物から選択される圧縮ガス
を備えた二区画エアゾール装置。
【請求項２】
前記圧縮ガスが空気であることを特徴とする、請求項１記載のエアゾール装置。
【請求項３】
前記圧縮ガスの圧力が、１乃至１２バールであることを特徴とする請求項１又は２記載のエアゾール装置。
【請求項４】
前記圧縮ガスの圧力が、９乃至１１バールであることを特徴とする請求項３記載のエアゾール装置。
【請求項５】
前記毛髪光沢剤及び／又はコンディショナーが、シリコーン類及び脂肪物質、並びにこれらの混合物から選択されることを特徴とする請求項１乃至４のいずれか一項記載のエアゾール装置。
【請求項６】
前記毛髪光沢剤及び／又はコンディショナーが、フェニル化ポリオルガノシロキサン類、流動ワセリン、ミリスチン酸イソプロピル、及びパルミチン酸イソプロピル、並びにこれらの混合物から選択されることを特徴とする請求項５記載のエアゾール装置。
【請求項７】
前記毛髪光沢剤及び／又はコンディショナーが、組成物の全重量に対して、０．４乃至４０重量％の量で存在することを特徴とする、請求項１乃至６のいずれか一項に記載のエアゾール装置。
【請求項８】
前記毛髪光沢剤及び／又はコンディショナーが、組成物の全重量に対して、１乃至２０重量％の量で存在することを特徴とする、請求項７記載のエアゾール装置。
【請求項９】
前記アルコール性又は水性アルコール性の化粧品として許容される媒体が少なくとも一のアルコールを含むことを特徴とする、請求項１乃至８のいずれか一項に記載のエアゾール装置。
【請求項１０】
前記アルコールがＣ１−４アルコールであることを特徴とする、請求項９に記載のエアゾール装置。
【請求項１１】
前記アルコールがエタノール又はイソプロパノールであることを特徴とする、請求項１０に記載のエアゾール装置。
【請求項１２】
前記毛髪トリートメント組成物が、非イオン性、カチオン性、アニオン性又は両性の固定化ポリマー、トリートメント活性剤、保湿剤、ＵＶスクリーン剤、酸、塩基、可塑剤、可溶化剤、防腐剤、着色剤、顔料、香料、ビタミン類、プロビタミン類、非イオン性、アニオン性、カチオン性、又は両性の界面活性剤、及び腐食防止剤、並びにこれらの混合物から選択される添加物も含むことを特徴とする、請求項１乃至１１のいずれか一項に記載のエアゾール装置。
【請求項１３】
ヘアラッカーを構成することを特徴とする、請求項１乃至１２のいずれか一項に記載のエアゾール装置。
【請求項１４】
請求項１乃至１３のいずれか一項記載のエアゾール装置に含まれる前記毛髪トリートメント組成物を、湿った毛髪又は乾いた毛髪に吹き付け、外部の熱を供給するか、又は供給せずに、毛髪を乾燥させることを特徴とする、毛髪をトリートメントするための美容方法。
【発明の詳細な説明】
【０００１】
【発明の属する技術分野】
本発明は、毛髪トリートメント組成物と特定の圧縮ガスを含む二区画エアゾール装置、及び毛髪トリートメント方法に関する。
【０００２】
【従来の技術】
エアゾールスプレー形態にパッケージされた毛髪トリートメント組成物は、一般的に、アルコール性、又はこれよりは一般的でないが水性アルコール性の、化粧品として許容される媒体中に、毛髪トリートメント剤、例えば、毛髪光沢付与剤及び／又はヘアコンディショナーと、減圧下で液化ガスであるか又は液相に溶解した推進剤を含む液相を含む。
【０００３】
【発明が解決しようとする課題】
そのような液相を含む他のエアゾール装置が存在するが、それらは液相を噴射するための圧縮ガスを含む。しかしながらこれらの圧縮ガス装置は、経時的にガスの圧力を失うという欠点を有する。特に経時的にまたは容器の不正確な使用の間で、すなわちそれが逆さまに保持された場合に、圧縮ガスが漏れ出すことが観察されている。
【０００４】
この問題によって、液相の噴射が微弱となり、その結果、毛髪に対して液相が微量しか分配されなくなる。
【０００５】
【課題を解決するための手段】
出願人は、驚くべきことに、推進剤の圧縮ガスからアルコール性又は水性アルコール性液相を機械的に分離することが、漏れや、髪への液相の分配といったこれらの問題を解決することを可能にすることを発見した。さらに、特定の圧縮ガスを備えた二区画エアゾール装置の使用が、穏やかで広範囲のスプレーを可能にし、毛髪への液相の分配を確実に改善し、ヘアスタイルをあまりこわさず、そのヘアスタイルの形を保持する。
【０００６】
よって、本発明の目的は、後述するような、毛髪トリートメント組成物と圧縮ガスを備えた二区画エアゾール装置である。
【０００７】
他の目的は、毛髪トリートメント方法を構成する。
【０００８】
本発明の他の目的、特徴、態様及び利点は、下記の明細書及び種々の実施例よりさらに明らかとなるであろう。
【０００９】
本発明の二区画エアゾール装置は、
（ａ）第１の区画に、アルコール性又は水性アルコール性の化粧品として許容される媒体中に、組成物の全重量に対して０．４重量％を超える濃度で少なくとも一の毛髪光沢剤及び／又はコンディショナーを含む、毛髪トリートメント組成物、及び
（ｂ）第２の区画に、空気、窒素、及び二酸化炭素、並びにこれらに混合物から選択され、特に好ましくは空気である圧縮ガス
を備えたものである。
【００１０】
【発明の実施の形態】
前記圧縮ガスは、好ましくは、１から１２バールの間、好ましくは９から１１バールの間の圧力である。
【００１１】
本発明の目的のために、「光沢剤」なる用語は、毛髪に、トリートメント処理の前の毛髪の光沢を上回る光沢を与えることができるあらゆる化合物を意味する。この光沢特性は、感覚的方法又は適当な技術装置、例えばフォトゴニオメーターで評価することができる。
【００１２】
本発明の目的では、「コンディショナー」なる用語は、もつれのほぐれ、柔らかさ、こし（ボディー）、又はなめらかさなどの少なくとも一の美容特性を改善することができるあらゆる化合物を意味する。
【００１３】
本発明の文脈における毛髪光沢剤及び／又はコンディショナーは、そのコンディショニング特性又は光沢付与特性が知られているシリコーン類、脂肪物質類又は他の非シリコーン剤、並びにその混合物から特に選択される。
【００１４】
本発明の文脈において、ポリジメチルシロキサン（ＰＤＭＳ）、フェニルトリメチコーン類、フェニルトリメチルシロキシジフェニルシロキサン類、ジフェニルメチルジメチルトリシロキサン類、ジフェニルジメチコーン類、フェニルジメチコーン類及びポリメチルフェニルシロキサン類などのフェニル化ポリオルガノシロキサン類で、フッ素化されていてもよい；脂肪酸で、脂肪アルコールで、又はポリオキシアルキレンで修飾されていてもよいポリシロキサン類、フルオロシリコーン類及びペルフルオロシリコーンオイル類、ならびにそれらの混合物などの非揮発性シリコーン油を使用することが特に可能である。
【００１５】
好ましい非揮発性シリコーン油の中で、ポリジメチルシロキサン類、ポリメチルフェニルシロキサン類、ポリオキシアルキレンブロック類又はグラフト類、特にポリオキシエチレン又はコポリ（オキシエチレン／オキシプロピレン）ブロック類又はグラフト類を含むシリコーン類、例えばジメチコーンコポリオール類、炭化水素主体の疎水性基（例えばＣ２−Ｃ３０アルキル基）とポリオキシエチレン化又はコポリ（オキシエチレン化／オキシプロピレン化）ブロック類又はグラフト類の両方を含むシリコーン類、例えばアルキルジメチコーンコポリオール類、フルオロ又はペルフルオロ基を有するシリコーン類、例えばペルフルオロアルキルポリジメチルシロキサン類及びペルフルオロアルキルポリメチルフェニルシロキサン類、並びにそれらの混合物を挙げることができる。
【００１６】
これらの油は、任意に、シリコーン鎖末端に、又はペンダント式に、アルキル又はアルコキシ基を含むシリコーン油でもよい。
【００１７】
本発明に用いられる揮発性シリコーン油としては、直鎖状又は環状シリコーン類で、好ましくは、室温かつ大気圧下で、８ｍｍ２／ｓ（８ｃＳｔ）未満の粘度を有し、特に２乃至７のケイ素原子を含むものが挙げられる。特に、オクタメチルシクロテトラシロキサン、デカメチルシクロペンタシロキサン、ヘキサデカメチルシクロヘキサシロキサン、ヘプタメチルヘキシルトリシロキサン及びヘプタメチルオクチルトリシロキサン、並びにそれらの混合物が挙げられる。
【００１８】
炭化水素主体の油も、光沢剤及び／又はコンディショナーとして、本発明の文脈において、用いることができる。
【００１９】
「炭化水素主体の油」なる用語は、主に、炭素と水素原子を含み、特にアルキル又はアルケニル鎖、例えばアルカン又はアルケンを含む油を意味するが、水素と炭素原子に加えて、エーテル、エステル、アルコール又はカルボン酸官能基の形態で酸素原子も含む油も意味する。
【００２０】
流動パラフィン又は流動ワセリン、ミンク油、タートル油、大豆油、ペルヒドロスクアレン、スウィートアーモンド油、テリハボク（ビューティリーフ）油（カロフィラム油）、ヤシ油、グレープシード油、ゴマ油、コーン油、パーリーム油、アララ油、レープシード油、ヒマワリ油、綿油、アプリコット油、ヒマシ油、アボカド油、ホホバ油、オリーブ油又は穀物胚芽油；ラノリン酸、オレイン酸、ラウリン酸及びスタリン酸のエステル類、脂肪エステル類、例えばミリスチン酸イソプロピル、パルミチン酸イソプロピル、ステアリン酸ブチル、ラウリン酸ヘキシル、アジピン酸ジイソプロピル、イソノナン酸イソノニル、パルミチン酸２−エチルヘキシル、ラウリン酸２−ヘキシルデシル、パルミチン酸２−オクチルデシル、ミリスチン酸又は乳酸２−オクチルドデシル、ビス（２−エチルヘキシル）スクシナート、リンゴ酸ジイソステアリル、トリイソステアリン酸グリセリル又はトリイソステアリン酸ジグリセリル；少なくとも１２の炭素原子を含む高級脂肪アルコール類、例えば、ステアリルアルコール又はオレイルアルコール、リノレイルアルコール、リノレニルアルコール、イソステアリルアルコール又はオクチルドデカノールなどの炭化水素主体の油も挙げることができる。
【００２１】
光沢剤及び／又はコンディショナーとしてワックスも用いることができる。これらのワックスは、天然由来のもの（カルナウバワックス又はキャンデリラワックス）でもよく、又はシリコーンワックスなどの合成由来のもの、合成セラミド又は天然セラミドでもよい。
【００２２】
１０乃至３０の炭素原子を含む直鎖状又は分枝状脂肪アルコールは、光沢剤及び／又はコンディショナーとして用いることができる。
【００２３】
上記光沢剤及び／又はコンディショナーの中で、好ましく用いられるものは、フェニル化ポリオリガノシロキサン類、流動ワセリン、ミリスチン酸イソプロピル、パルミチン酸イソプロピル、又はそれらの混合物である。
【００２４】
上記毛髪光沢剤及び／又はコンディショナーは、毛髪トリートメント組成物の全重量に対して、好ましくは、０．４乃至４０重量％、さらに好ましくは１乃至２０重量％の量で存在する。
【００２５】
「化粧品として許容される媒体」なる用語は、毛髪に適合する媒体を意味するが、さらに快適な香り、外観、及び感触を有するものである。
【００２６】
アルコール性又は水性アルコール性の化粧品として許容される媒体は、Ｃ１−４アルコールなどの少なくとも一のアルコール、例えばエタノール又はイソプロパノールを含む。
【００２７】
水性アルコール性媒体では、水の割合は、エアゾール組成物の全重量に対して１乃至９５重量％、好ましくは１５乃至９０重量％の範囲とすることができる。
【００２８】
毛髪トリートメント組成物は、非イオン性、カチオン性、アニオン性又は両性の固定化ポリマー、トリートメント活性剤、グリセリンなどの保湿剤、ＵＶスクリーン剤、酸、塩基、可塑剤、可溶化剤、防腐剤、着色剤、顔料、香料、ビタミン、プロビタミン、非イオン性、アニオン性、カチオン性、又は両性界面活性剤、及び腐食防止剤、並びにこれらの混合物などの添加物も含むことができる。
【００２９】
当業者は、任意の添加剤及びそれらの量を選択するのに注意を払い、それらが本発明の組成物の特性を損なわないようにするであろう。
【００３０】
これらの添加剤は、特に組成物のの全重量に対して、０から２０重量％の範囲の量で、本発明の組成物中に存在する。
【００３１】
好ましくは二区画エアゾール装置は、バルブに溶接されて密封された内部ポケットを含む外部エアゾール金属製容器からなる。前記組成物は、内部ポケット内に導入され、ノズルの口を通じて、スプレーの形態で製品を噴射するのに十分である圧力で、圧縮ガスがポケットと金属製容器の間に導入される。そのような装置は、ＥＰ−Ｓｐｒａｙ　Ｓｙｓｔｅｍ　ＳＡ社により、ＥＰ　Ｓｐｒａｙの名称で市販されている。
【００３２】
本発明のエアゾール装置は、好ましくはヘアラッカー（ヘアスプレー）でもよい。
【００３３】
本発明は、また、本発明のエアゾール装置に含まれる前記毛髪トリートメント組成物を、湿った毛髪又は乾いた毛髪に吹き付け、外部の熱を供給するか、又は供給せずに、毛髪を乾燥させることを特徴とする、毛髪をトリートメントするための美容方法に関する。
【００３４】
【実施例】
以下の実施例は、本発明の説明として提供される。
【００３５】
以下の実施例では、全ての量は、他に別の記載がある場合を除き、組成物の全重量に対する重量パーセンテージとして表されている。
【００３６】
実施例１
毛髪トリートメント組成物を下記の成分から調製した。
【００３７】
【表１】
2004049895.tif 000002
【００３８】
上記の調製された組成物を、前述のＥＰ　Ｓｐｒａｙ　Ｓｙｓｔｅｍ　Ｓ．Ａ．社によりＥＰ　Ｓｐｒａｙの名称で市販されているエアゾール分配装置内に導入した。カタログ番号６００１フォーマットＤ６型式のバルブを、標準的なエアゾール金属製容器に取り付け、噴射装置は、ボルテックスノズル噴射装置である。
【００３９】
ポケットに前記組成物を充填する。圧縮空気をポケットと金属製容器の間に導入する。
【００４０】
前記組成物を乾いた毛髪に吹き付けた。スプレー処理を穏やかなスプレーの形態で実施する。
【００４１】
乾燥後、当初の形を変えることなく、頭髪が非常に光沢のあるものとなった。
【００４２】
実施例２
第２の毛髪トリートメント組成物を、下記の成分から調製した。
【００４３】
【表２】
2004049895.tif 000003
【００４４】
実施例１に記載されているように、前記の調製された組成物を、ＥＳ　Ｓｐｒａｙの名称で市販されているエアゾール分配装置内に導入した。
【００４５】
前記組成物を乾いた毛髪に吹き付けた。
【００４６】
実施例１の場合で得られたものと同様な結果が得られた。